(57)【要約】【課題】連続溶融めっき装置のライン稼働中に連続的にスナウト内面へのアッシュの堆積を防止することが可能なスナウトおよびスナウト内のアッシュ堆積防止方法の提供。【解決手段】先端部がめっき浴３中に浸漬されたスナウト外筒１０と、スナウト外筒１０内に、スナウト外筒１０と縁切りして、かつ先端部がめっき浴３中に浸漬されないように支持されたスナウト内筒１１と、スナウト内筒１１を振動させるバイブレータとを有する連続溶融めっき装置のスナウト１である。【選択図】図１
2013173967.tif 000002
【特許請求の範囲】
【請求項１】
先端部がめっき浴中に浸漬されたスナウト外筒と、
前記スナウト外筒内に、前記スナウト外筒と縁切りして、かつ先端部がめっき浴中に浸漬されないように支持されたスナウト内筒と、
前記スナウト内筒を振動させる振動手段と
を有する連続溶融めっき装置のスナウト。
【請求項２】
先端部がめっき浴中に浸漬されたスナウト外筒内に、前記スナウト外筒と縁切りして、かつ先端部がめっき浴中に浸漬されないように支持されたスナウト内筒を、振動手段により振動させることを特徴とするスナウト内のアッシュ堆積防止方法。
【発明の詳細な説明】
【技術分野】
【０００１】
本発明は、連続溶融めっき装置のスナウトに係り、より詳しくは、スナウト内面へのアッシュの堆積を防止することが可能なスナウトおよびスナウト内のアッシュ堆積防止方法に関する。
【背景技術】
【０００２】
図７に示すように、従来の連続溶融めっき装置では、鋼帯Ｐを還元炉２で還元した後、ダクト状のスナウト１００で鋼帯Ｐが酸化されるのを防止しながらめっき浴３に浸漬して、ロール４で鋼帯Ｐの方向を垂直に変え、めっき浴３の直上に配置したワイピング装置５でめっき付着量を調整する。スナウト１００の基部は還元炉２に接続され、先端部はめっき浴３に浸漬されており、内部に大気が侵入するのを防止している。
【０００３】
このとき、めっき浴３からはめっき金属が常に蒸発しているが、スナウト１００内で蒸発したものは還元炉２から送られてきた還元性ガスに含まれる微量の酸素や水分と反応して、酸化物や水酸化物等（一般的に「アッシュ」と称される。）となる。このアッシュはスナウト１００の外部に拡散できないため、大部分はスナウト１００の内面に付着し、堆積する。この堆積したスナウト１００が剥離してめっき浴３に落下すると、めっき不良が発生する。
【０００４】
そこで、例えば特許文献１には、連続溶融めっき装置のスナウト内に付着した異物を除去する際、スナウト内部に音波を発して、その音波でスナウトに振動を与え、内部に付着した異物を落下させることを特徴とする連続溶融めっき装置のスナウト内付着異物の除去方法が提案されている。
【先行技術文献】
【特許文献】
【０００５】
【特許文献１】特開平１０−２５９４６５号公報
【発明の概要】
【発明が解決しようとする課題】
【０００６】
ところが、上記特許文献１に記載の方法では、スナウトに振動を与えて、スナウト内部の付着異物を除去するため、スナウトの振動によってめっき浴の浴面に波が発生する。めっき浴の浴面の波は、鋼帯が浴面から排出される部位に到達し、鋼帯表面のめっき目付量の変化となって現れるため、めっき品質のばらつきが発生する。このため、音波によってスナウトに振動を与えることができるのは、ライン停止中またはライン停止直前に限定され、ライン稼働中に連続使用できないという問題がある。
【０００７】
そこで、本発明においては、連続溶融めっき装置のライン稼働中に連続的にスナウト内面へのアッシュの堆積を防止することが可能なスナウトおよびスナウト内のアッシュ堆積防止方法を提供することを目的とする。
【課題を解決するための手段】
【０００８】
本発明の連続溶融めっき装置のスナウトは、先端部がめっき浴中に浸漬されたスナウト外筒と、スナウト外筒内に、スナウト外筒と縁切りして、かつ先端部がめっき浴中に浸漬されないように支持されたスナウト内筒と、スナウト内筒を振動させる振動手段とを有するものである。
【０００９】
また、本発明のスナウト内のアッシュ堆積防止方法は、先端部がめっき浴中に浸漬されたスナウト外筒内に、スナウト外筒と縁切りして、かつ先端部がめっき浴中に浸漬されないように支持されたスナウト内筒を、振動手段により振動させることを特徴とする。
【００１０】
本発明の連続溶融めっき装置のスナウトおよびスナウト内のアッシュ堆積防止方法によれば、スナウト内筒とスナウト外筒とが縁切りされ、スナウト内筒の先端部はめっき浴中に浸漬されないように支持されているため、スナウト内筒の振動は、先端部がめっき浴中に浸漬されたスナウト外筒に伝わることがなく、めっき浴の浴面が振動することもない。そのため、スナウト内筒を振動手段により常時振動させることができ、スナウト内筒内面にアッシュが付着して堆積することを防止することができる。
【発明の効果】
【００１１】
本発明によれば、スナウト内筒を振動手段により常時振動させてもめっき浴の浴面が振動しないので、連続溶融めっき装置のライン稼働中においても連続的にスナウト内筒内面にアッシュが付着して堆積することを防止することができ、浴面の変動によるめっき不良のばらつきを防止することができる。また、アッシュが堆積し、剥離して落下することがないため、鋼帯上への落下付着によるめっき不良を防止することができる。
【図面の簡単な説明】
【００１２】
【図１】本発明の実施の形態における連続溶融めっき装置のスナウト周辺部の縦断面図である。
【図２】図１のスナウトの要部拡大図である。
【図３】図２のＡ−Ａ矢視図である。
【図４】図２のＢ−Ｂ矢視図である。
【図５】振動手段の別の実施形態を示す図２のＢ−Ｂ矢視に対応する図である。
【図６】（ａ）は図５のＣ部の詳細を示す断面図、（ｂ）は（ａ）のＤ矢視図である。
【図７】従来の連続溶融めっき装置のスナウトの縦断面図である。
【発明を実施するための形態】
【００１３】
図１は本発明の実施の形態における連続溶融めっき装置のスナウト周辺部の縦断面図、図２は図１のスナウトの要部拡大図、図３は図２のＡ−Ａ矢視図、図４は図２のＢ−Ｂ矢視図である。
【００１４】
図１において、本発明の実施の形態における連続溶融めっき装置は、鋼帯Ｐを還元炉２で還元した後、ダクト状のスナウト１で鋼帯Ｐが酸化されるのを防止しながらめっき浴３に浸漬して、ロール４で鋼帯Ｐの方向を垂直に変え、めっき浴３の直上に配置したワイピング装置６でめっき付着量を調整するものである。
【００１５】
図２〜図４に示すように、スナウト１は、基部が還元炉２に接続され、先端部がめっき浴３中に浸漬されたスナウト外筒１０と、スナウト外筒１０内に設けられたスナウト内筒１１とを有する。スナウト内筒１１は、厚さ５．０ｍｍの薄いステンレス鋼板により断面矩形状に形成された角筒状の内筒本体部１２と、内筒本体部１２の上下開口端１２ａ，１２ｂにそれぞれ設けられた厚さ０．５ｍｍの超薄のステンレス鋼板により形成されたスカート部１３ａ，１３ｂとから構成される。
【００１６】
スナウト内筒１１は、スナウト外筒１０を貫通して、スナウト１の外側に形成された内筒支持フレーム１６に支持された支持材１５によって、先端部がめっき浴中に浸漬されないように支持されている。内筒支持フレーム１６は、スナウト１とは完全に分離して形成されている。なお、支持材１５はスナウト外筒１０と支持材１５との間で露出しないように、蛇腹１７によって覆われている。スナウト内筒１１には、支持材１５が挿通される支持管１４ａ，１４ｂが固定されている。なお、スナウト内筒１１の下側の支持管１４ｂの断面形状が楕円状となっているのは、スナウト内筒１１の熱膨張分を吸収するためである。
【００１７】
また、支持材１５には振動手段としてのバイブレータ１８が連結されている。このバイブレータ１８によって支持材１５に振動が与えられることにより、支持管１４ａ，１４ｂを通じてスナウト内筒１１が振動する。このとき、バイブレータ１８によって振動が与えられる支持材１５を支持する内筒支持フレーム１６がスナウト１とは完全に分離して形成され、スナウト外筒１０と内筒支持フレーム１６との間で支持材１５は蛇腹１７によって覆われていることにより、スナウト外筒１０とスナウト内筒１１とは縁切りされているため、バイブレータ１８の振動はスナウト外筒１０には伝わらず、スナウト内筒１１のみが振動する。
【００１８】
また、スナウト内筒１１のスカート部１３ａ，１３ｂは、スナウト外筒１０とスナウト内筒１１との隙間へのアッシュの侵入を防止するために、スナウト外筒１０に密着してスナウト外筒１０とスナウト内筒１１との隙間を閉塞するように設けられているが、このスカート部１３ａ，１３ｂは前述のように超薄のステンレス鋼板により形成することで、スナウト内筒１１の振動がスナウト外筒１０に伝わらないようにしている。
【００１９】
上記構成の連続溶融めっき装置のスナウト１によれば、スナウト内筒１１とスナウト外筒１０とが縁切りされ、スナウト内筒１１の先端部はめっき浴３中に浸漬されないように支持されているため、スナウト内筒１１の振動は、先端部がめっき浴３中に浸漬されたスナウト外筒１０に伝わることがなく、めっき浴３の浴面が振動することもない。そのため、連続溶融めっき装置のライン稼働中にスナウト内筒１１をバイブレータ１８により常時振動させることができ、浴面の変動によるめっき不良のばらつきを防止することができるとともに、スナウト内筒１１内面にアッシュが付着して堆積することを防止することができる。これにより、アッシュがスナウト内筒１１内面に堆積し、剥離して落下することもないため、鋼帯Ｐ上への落下付着によるめっき不良も防止することができる。
【００２０】
なお、上記実施形態においては、振動手段としてバイブレータ１８を用いているが、これに代えて、図５および図６に示す振動機構とすることもできる。図５は振動手段の別の実施形態を示す図２のＢ−Ｂ矢視に対応する図、図６の（ａ）は図５のＣ部の詳細を示す断面図、（ｂ）は（ａ）のＤ矢視図である。
【００２１】
図５および図６に示す振動機構は、駆動源としての可変速式電動機２０と、スナウト内筒１１に固定された支持管１４ａ，１４ｂと、支持管１４ａ，１４ｂに挿通された支持材１５と、支持材１５に溶接固定された偏心輪２１とから構成される。この構成の振動機構では、可変速式電動機２０により支持材１５を任意の速度で回転させると、支持材１５に固定された偏心輪２１が回転し、支持管１４ａ，１４ｂを通じてスナウト内筒１１が振動する。
【産業上の利用可能性】
【００２２】
本発明の連続溶融めっき装置のスナウトは、還元炉で還元した後の鋼帯が酸化するのを防止してめっき浴へ導くための装置として有用である。
【符号の説明】
【００２３】
Ｐ  鋼帯
１  スナウト
２  還元炉
３  めっき浴
４  ロール
５  ワイピング装置
１０  スナウト外筒
１１  スナウト内筒
１２  内筒本体部
１３ａ，１３ｂ  スカート部
１４ａ，１４ｂ  支持管
１５  支持材
１６  内筒支持フレーム
１７  蛇腹
１８  バイブレータ
２０  可変速式電動機
２１  偏心輪
【図１】
2013173967.tif 000003
【図２】
2013173967.tif 000004
【図３】
2013173967.tif 000005
【図４】
2013173967.tif 000006
【図５】
2013173967.tif 000007
【図６】
2013173967.tif 000008
【図７】
2013173967.tif 000009